(57)【要約】      （修正有）【課題】ダーモスコープは通常皮膚に直接エコージェル等のジェル又は植物油を塗って接触させて撮像するタイプと皮膚から離して撮像する（非接触）偏光フィルタータイプと２種類あるが、直接接触させると臨床部の血管を圧迫して血管が移らなかったり色がかわり、非接触の撮像の場合、カメラのフォーカスで撮像する場合固定して安定にフォーカスさせるのが難しいため、それを解決するアダプターを提供する。。【解決手段】ダーモスコープと皮膚の間を介するアダプターであって、硬度が２２〜４５、光の透過率が０〜４５％、開口径が５〜５０ｍｍの筒状体からなるアダプターとする。【選択図】図１
2016214552.tif 000002
【特許請求の範囲】
【請求項１】
ダーモスコープと皮膚の間を介するアダプターであって、硬度が２２〜４５、光の透過率が０〜４５％、開口径が５〜５０ｍｍの筒状体からなることを特徴とするアダプター。
【請求項２】
筒状体がシリコンゴムであることを特徴とする請求項１記載のアダプター。
【請求項３】
筒状体が円錐状であることを特徴とする請求項１又は２に記載のアダプター。
【請求項４】
内部にダーモスコープに密着させるためのスリットを有することを特徴とする請求項１〜３のいずれか一項に記載のアダプター。
【発明の詳細な説明】
【技術分野】
【０００１】
本発明は、ダーモスコープで容易に観測することを可能にしたアダプターに関するものである。
【背景技術】
【０００２】
通常デジタルダーモスコープ（デジタルカメラで所定の大きさの皮膚の色素沈着等を拡大撮像するもの）は、皮膚表面とダーモスコープの間をジェルとか植物油等で埋めて空気を追い出して皮膚表面の反射光の発生を防いで皮膚浅層までの色素性変化を観察することが可能になる。肉眼では見つけられない特徴的な構造物や色調（ネットワーク構造など）を検出できるため、診断率が向上することが知られている。又、偏光フィルターを使って、皮膚表面の反射光を防ぐいで同様に観察診断が可能です。
【０００３】
先行文献１にはダーモスコープアダプターを使って、ビデオカメラをダーモスコープに作りあげる方法がが記載されている。しかしながら、この特許技術では、照明光を外部を利用するため、安定した光源が得られないこととその為に安定した色再現性も得難いという問題点があった。
【先行技術文献】
【特許文献】
【０００４】
【特許文献１】特開２００８−０１８２０７号公報
【発明の概要】
【発明が解決しようとする課題】
【０００５】
ダーモスコープは皮膚の色素沈着（ほくろ等）等を観察してがん診断する手段としても使われている。その際、ダーモスコープは遠隔医療として使用される必要がある。その為、現場に居なくても、その画像から正確な診断が出来るように画質と色再現性が良いことが要求される。その為、照明光が内臓されると共に外光から影響を受けない状態を作り出して、色再現性の良い画像を得る必要がある。
【０００６】
接触させ撮像する場合、圧力を掛けて接触させるのが通常ですがその圧力により毛細血管の血流が止められたりしてその時の状態の撮影しか出来ない。従って、臨床部に圧力を掛けない状態も撮像したい。非接触で撮像する場合は、臨床部に圧力はかけませんが、カメラのフォーカスで、オートフォーカス、マニュアルフォーカスでもダーモスコープを固定しながらの撮像が難しくピントが呆けるという問題があった。  
また、ダーモスコープは滅菌が出来ない装置なので、感染症をもつ患者の場合その対応が難しかった。
【課題を解決するための手段】
【０００７】
本発明は、ダーモスコープで皮膚を観察する際皮膚と接触させて撮像するのが通常の使い方であるが、皮膚と圧力を掛けないためにアダプターを両者の間を介して撮像する時に、皮膚とダーモスコープとの距離を一定に保つ目的にもアダプターを用います。アダプターは皮膚との接触等を考慮して硬度が２２−４５程度のものとして、光の透過率も０〜４５％として内部光と外部光とのバランスを採り、開口径が５〜５０ｍｍを持つ筒状体からなることを特徴とするものである。又、その素材をシリコンゴムであること、そして、筒状体が円錐状であることを特徴とするものでもある。ダーモスコープに密着させるためにスリットを有して空気層を設けることを特徴とするものでもある。
【発明の効果】
【０００８】
皮膚に直接押し付けながら毛細血管の血流を止めての状態を撮像できる従来の方法と開口部を持ち臨床部には圧力を掛けない状態を作り出す本発明のアダプターにより、二つの状態の皮膚を観察可能とした。アダプターをシリコンゴム等で作成してアダプターが皮膚に接触させて観察する際適度な圧迫性でも観察可能とした。アダプターの透過率を制御して、内部光が外部光に影響を受けない程度に内部光を漏らすように設定して、白バランスが乱れることなく正確な測定が出来ることして、被験者が皮膚を観察している測定の過程を理解して安心して検査を受けられるようにする。臨床部の面積によって、開口部径が変わった方が良いが,円錐状体でアダプターを作成した場合は開口部が狭い側と広い側をひっくり返して使用すれば観察面積を変えることが可能となる。アダプターの着脱により二つのモードが再現できるが、アダプター内部にスリットを設けることにより、簡単な構造で密着できて、且つ、着脱が容易にできるようにした。又、被験者が伝染性の病原を持つ場合は、アダプターをシリコンゴム等で製作して蒸気滅菌等で間単に滅菌が可能となる。
【図面の簡単な説明】
【０００９】
【図１】デジタルダーモスコープの構成断面図
【図２】本発明のアダプターの全体の形状図。
【図３】ダーモスコープ先端部にアダプターを取り付けた状態の断面図
【図４】偏光フィルター使用時のアダプターの構成断面図
【発明を実施するための形態】
【００１０】
本発明を実施例でもって説明する。
【実施例１】
【００１１】
アダプターを製作するのに、旭化成社製の硬度が４０程度で、透過率が低い（１．６３％／４．４ｍｍ）のＭ８０１２と硬度が２７程度で透過率が高い（８０．２％・４．４ｍｍ）のＭ８５２０の型取り用シリコンゴムを使って、両者を混合して、硬度や透過率を所定の値になるようにします。実施例の場合は、重量比で、Ｍ８０１２を２０％とＭ８５２０を８０％混ぜて製作しますと硬度３０．９が得られた。その測定には、試料を製作してデュロメーターで測定した。又、透過率は可視光反射率・透過率測定装置にて硬度測定で製作した同じ試料で測定した。その結果でアダプターの光が透過する部分の平均厚さが４．４ｍｍの厚さに換算したものである。形状は円錐形で,皮膚接触する狭い開口部は直径２１ｍｍ、アダプターに沿って密着させるために長さ１２ｍｍで、円錐形最大の開口部は４３ｍｍあり、皮膚とダーモスコープの光学ガラスとの間隔が非接触用アダプターは８ｍｍ、ジェル用アダプターは２ｍｍである。
【００１２】
型を使って製作しますが、密着性をたかめるためにアダプターがダーモスコープと密着する部分にスリットを設けて空気層を作り押して密着させ真空により密着性を持たせている。二種類の撮像条件を持つためには、簡単に設定できる為には容易に取り外しが可能なことである。皮膚にソフトに接触させたり、不透明にして外光を防ぐと共に内部照明光を見ることが出来るようにも可能である。それによって、患者が検査のプロセスが容易に理解できて安心して検査が受けられるメリットがある。シリコンゴムという材質をを使用しているため、、耐熱性、耐薬品性を向上させ滅菌が可能に出来た。（オートクレーブは２気圧の飽和水蒸気によって温度を121℃に上昇させ、20分間処理する。手術中などの緊急時には132度で3分というハイスピード高圧蒸気滅菌を行ないますが、試作のものでオートクレーブが利用できることの確認を行いました。）
使い方はまずダーモスコープを直接皮膚に接触させ血流を止めた状態で撮像します。次に、アダプターをダーモスコープに押しながら被せて密着させて固定させます。血流が流れた状態で撮像します。その時は皮膚との距離が安定しているため、フォーカスが良く、呆けない映像が得られる。ジェル使用、不使用タイプとも同様である。
【００１３】
円錐形上ではある為、臨床部面積が大きい場合には、必要によってはアダプターを逆さにして使用して接触部の開口径を大きくし、狭い開口部から撮影できるてことも特徴である。ジェルタイプ用と偏光フィルター用については、同じ形状にて共用も可能である。
図１のデジタルダーモスコープと図３と図４の様にアダプターを組合せて、必要なときに取り外しが出来るダーモスコープ用アダプターである。
【産業上の利用可能性】
【００１４】
本発明は医療用の皮膚観察に用いることができる。
【符号の説明】
【００１５】
１:   イメージャー
２：  カメラ用レンズ
３：  ダーモスコープモジュール用レンズ
４：  ＬＥＤ
５：  偏光フィルター
６：  光学ガラス
７：  ジェル
８：  皮膚
９：  アダプター
１０：  浅層臨床部
【図１】
2016214552.tif 000003
【図２】
2016214552.tif 000004
【図３】
2016214552.tif 000005
【図４】
2016214552.tif 000006